(57)【要約】【課題】筒状体の外周面に巻き上げ用糸をスパイラル状に容易に巻き付けることができ、糸挿通部の強度に優れ、容易に製造することのできる形状付与具を提供すること。【解決手段】筒状体２と巻き上げ用糸３とを備え、筒状体２は帯状シート４，５がその側縁部で接合されて断面が扁平状に形成されており、筒状体２の両側縁部に挿通掛合孔部６がそれらを順次結ぶことによりスパイラル状線を形成するように複数個設けられており、糸３は孔部６に順次挿通掛合されて筒状体２の外周面にスパイラル状に巻き付けられており、孔部６は筒状体２の両側縁部を構成する帯状シート４，５それぞれに、側縁部の縁端から幅方向内方に向けて形成された一対の切り込みと、帯状シート４，５それぞれの両切り込み近傍を接合してなる接合部７とにより形成されており、前記一対の切り込みは、筒状体２の長手方向に対する角度が異なっており且つ両切り込みの端縁が筒状体２の側縁部の縁端においてずれている。【選択図】    図１
2005046174.tif 000002
【特許請求の範囲】
【請求項１】
一端部に被挿入物の取り込み口を有し該取り込み口から被挿入物を挿入可能な筒状体と、該筒状体の巻き上げ用の巻き上げ用糸とを備え、前記筒状体は、１枚又は２枚以上の帯状シートがその側縁部で接合されて断面が扁平状又は多角形状に形成されており、前記筒状体の両側縁部又は各角部は、該帯状シートが折り返されるか又は該帯状シートの側縁部が接合されて形成されており、該両側縁部又は該各角部に、前記巻き上げ用糸を挿通掛合する挿通掛合孔部が、それぞれ所定間隔をあけて且つそれらを順次結ぶことによりスパイラル状線を形成するように複数個設けられており、前記巻き上げ用糸は、その一端が前記筒状体の他端部の近傍に止着され、前記挿通掛合孔部に順次挿通掛合されて該筒状体の外周面にスパイラル状に巻き付けられており、
前記挿通掛合孔部は、前記筒状体の前記両側縁部又は前記各角部を構成する前記帯状シートの一方の面及び他方の面それぞれに、該側縁部又は該角部の縁端から幅方向内方に向けて形成された一対の切り込みと、該帯状シートの一方の面及び他方の面それぞれの両切り込み近傍を接合してなる接合部とにより形成されており、
前記一対の切り込みは、前記筒状体の長手方向に対する角度が異なっており且つ両切り込みの端縁が該筒状体の前記側縁部又は前記角部の縁端においてずれている形状付与具。
【請求項２】
前記帯状部材の一方の面の前記切り込みと前記帯状部材の他方の面の前記切り込みとのなす角度が、１８０°未満である請求項１記載の形状付与具。
【請求項３】
前記筒状体の長手方向に対する前記帯状部材の一方の面の前記切り込みの角度が、９０°以下である請求項１又は２記載の形状付与具。
【請求項４】
前記筒状体は、１枚の帯状シートが折り返されてその側縁部で接合されるか又は２枚の帯状シートがそれらの両側縁部で接合されて、断面が扁平状に形成されている請求項１〜３の何れかに記載の形状付与具。
【請求項５】
前記筒状体は、１枚又は２枚若しくは３枚の帯状シートの側縁部が接合されて、断面が三角形状に形成されている請求項１〜３の何れかに記載の形状付与具。
【請求項６】
前記筒状体は、１枚又は２枚〜６枚の帯状シートの側縁部が接合されて、断面が六角形状に形成されている請求項１〜３の何れかに記載の形状付与具。
【請求項７】
前記被挿入物は毛髪であり、毛髪保持具として使用される請求項１〜６の何れかに記載の形状付与具。
【発明の詳細な説明】
【０００１】
【発明の属する技術分野】
本発明は、形状付与具に関する。
【０００２】
【従来の技術及び発明が解決しようとする課題】
特開２００３−３３２１６号公報及び国際公開第０３／００７７５２号パンフレットには、本出願人による「一端部に毛髪取り込み口を有し該毛髪取り込み口から毛髪を挿入可能な筒状体と、該筒状体の巻き上げ用の巻き上げ用糸とを備え、前記筒状体の外周面には、前記巻き上げ用糸を挿通する小孔が、スパイラル状に間欠的に設けられており、前記巻き上げ用糸は、その一端が該筒状体の他端部の近傍に止着され、前記小孔に順次挿通されて前記筒状体の外周面にスパイラル状に巻き付けられている毛髪保持具」が記載されている。この毛髪保持具によれば、毛髪が筒状体の内部に挿入された状態で前記巻き上げ用糸の他端を引っ張ることにより、該毛髪を該筒状体ごと巻き上げることができ、簡便な操作で毛髪の巻き上げを行うことができる。
このような毛髪保持具は、筒状体に挿入された被挿入物に所定の形状を付与することのできる形状付与具の一種であり、該毛髪保持具によれば、毛髪に所定の形状を付与することができる。
【０００３】
しかし、前述の構成を有する毛髪保持具を製造するには、筒状体に小孔をスパイラル状に間欠的に設け、その後、該小孔に巻き上げ用糸を順次挿通する必要があり、その製造が容易ではなく、また、糸挿通部である該小孔が強度的に十分なものではなかった。
【０００４】
従って、本発明の目的は、筒状体の外周面に巻き上げ用糸をスパイラル状に容易に巻き付けることができ、糸挿通部の強度に優れ、また、容易に製造することのできる形状付与具を提供することにある。
【０００５】
【特許文献１】
特開２００３−３３２１６号公報
【特許文献２】
国際公開第０３／００７７５２号パンフレット
【０００６】
【課題を解決するための手段】
本発明は、一端部に被挿入物の取り込み口を有し該取り込み口から被挿入物を挿入可能な筒状体と、該筒状体の巻き上げ用の巻き上げ用糸とを備え、前記筒状体は、１枚又は２枚以上の帯状シートがその側縁部で接合されて断面が扁平状又は多角形状に形成されており、前記筒状体の両側縁部又は各角部は、該帯状シートが折り返されるか又は該帯状シートの側縁部が接合されて形成されており、該両側縁部又は該各角部に、前記巻き上げ用糸を挿通掛合する挿通掛合孔部が、それぞれ所定間隔をあけて且つそれらを順次結ぶことによりスパイラル状線を形成するように複数個設けられており、前記巻き上げ用糸は、その一端が前記筒状体の他端部の近傍に止着され、前記挿通掛合孔部に順次挿通掛合されて該筒状体の外周面にスパイラル状に巻き付けられており、前記挿通掛合孔部は、前記筒状体の前記両側縁部又は前記各角部を構成する前記帯状シートの一方の面及び他方の面それぞれに、該側縁部又は該角部の縁端から幅方向内方に向けて形成された一対の切り込みと、該帯状シートの一方の面及び他方の面それぞれの両切り込み近傍を接合してなる接合部とにより形成されており、前記一対の切り込みは、前記筒状体の長手方向に対する角度が異なっており且つ両切り込みの端縁が該筒状体の前記側縁部又は前記角部の縁端においてずれている形状付与具を提供することにより前記目的を達成したものである。
【０００７】
【発明の実施の形態】
本発明の形状付与具は、筒状体に挿入された被挿入物に所定の形状を付与し、その状態を保つことができるものであり、特に、毛髪に所定の形状を付与することのできる毛髪保持具として好適に使用される。
以下本発明の形状付与具を、その好ましい実施形態である毛髪保持具に基づき図面を参照しながら説明する。
【０００８】
本実施形態の毛髪保持具は、図１に示すように、一端部に被挿入物である毛髪Ｈ（図２参照）の取り込み口２１を有し該取り込み口２１から毛髪Ｈを挿入可能な筒状体２と、該筒状体２の巻き上げ用の巻き上げ用糸３とを備え、前記筒状体２は、２枚の帯状シート４，５がその側縁部４１・４２、５１・５２で接合されて断面が扁平状に形成されており、前記筒状体２の両側縁部は、該帯状シート４，５の側縁部４１・４２、５１・５２が接合されて形成されており、該両側縁部に、前記巻き上げ用糸３を挿通掛合する挿通掛合孔部６が、それぞれ所定間隔をあけて且つそれらを順次結ぶことによりスパイラル状線を形成するように複数個（本実施形態では８個）設けられており、前記巻き上げ用糸３は、その一端３１が前記筒状体２の他端部２２の近傍に止着され、前記挿通掛合孔部６に順次挿通掛合されて該筒状体２の外周面にスパイラル状に巻き付けられている。
【０００９】
また、前記挿通掛合孔部６は、前記筒状体２の前記両側縁部を構成する前記帯状シート４，５の一方の面（帯状シート４）及び他方の面（帯状シート５）それぞれに、前記側縁部４１・４２、５１・５２の縁端から幅方向内方に向けて形成された一対の切り込み４３・４４、５３・５４と、該帯状シート４，５の一方の面（帯状シート４）及び他方の面（帯状シート５）それぞれの両切り込み４３・４４、５３・５４近傍を接合してなる接合部７とにより形成されており、前記一対の切り込み４３・４４、５３・５４は、前記筒状体２の長手方向に対する角度が異なっており且つ両切り込み４３・４４、５３・５４の端縁が該筒状体２の前記側縁部の縁端においてずれている。
【００１０】
本実施形態の毛髪保持具１について詳述する。毛髪保持具１は、図１に示すように、細長筒形状で、扁平な略楕円形状の断面を有する筒状体２からなる。筒状体２は、一端部２１及び他端部２２を有しており、各端部は開口している。一端部２１は毛髪Ｈの取り込み口となっている。毛髪Ｈは、筒状体２内に取り込み口２１から挿入されて保持される（図２参照）。筒状体２の長さは、処理すべき毛髪の長さに応じて適切な長さとされている。筒状体２の長さは一般に５０〜６００ｍｍ程度の範囲である。
【００１１】
毛髪保持具１を構成する筒状体２は、２枚の帯状シート４，５がそれらの両側縁部４１・４２、５１・５２同士で接合されて形成されている。該帯状シート４，５の幅Ｌ１〔図１（ｂ）参照〕は、好ましくは５〜２００ｍｍ、更に好ましくは１０〜９０ｍｍである。
【００１２】
本実施形態の毛髪保持具１の筒状体２には、図１に示すように、その外周面に、筒状体２の巻き上げ用の巻き上げ用糸３がスパイラル状に巻き付けられている。巻き上げ用糸３は、筒状体２内に挿入された状態の毛髪を、該筒状体２ごと巻き上げる手段として用いられる。本明細書において巻き上げとは、毛髪に所定のくせ付けをすること全般を意味し、本来の巻き上げに加えて例えば湾曲や屈曲なども包含される。
【００１３】
巻き上げ用糸３は、筒状体２の両側縁部に、それぞれ所定間隔をあけて設けられた複数の挿通掛合孔部６に順次挿通掛合されている。
挿通掛合孔部６は、前記一方の帯状シート４の両側縁部に形成された切り込み４３・４４と、前記他方の帯状シート５の両側縁部に形成された切り込み５３・５４と、両帯状シート４，５それぞれの両側縁部４１・４２、５１・５２の接合部７とにより形成されている。本実施形態における前記切り込み４３・４４、５３・５４は、何れもスリットである。挿通掛合孔部６は、巻き上げ用糸３が挿通できる程度の大きさがあればよい。筒状体２の長手方向に隣接する挿通掛合孔部６間の該長手方向に沿う間隔Ｍ〔図１（ａ）参照〕は、筒状体２をスムーズに巻き上げし得るスパイラル形状で、巻き上げ用糸３を筒状体２に巻き付ける上で、好ましくは２５〜３００ｍｍ、更に好ましくは４０〜８０ｍｍである。接合部７の幅Ｌ２〔図１（ｂ）参照〕は、好ましくは１〜１９５ｍｍ、更に好ましくは２〜５ｍｍである。
【００１４】
取り込み口２１には、合成樹脂製のリング状部材及びシート部材からなる取り込み口補強部材８が設けられており、取り込み口２１及びその近傍の部位が、筒状体２における他の部位よりも高剛性となされている。これによって、毛髪を取り込む際に、取り込み口２１に毛髪Ｈや毛髪挿入具１０（後述、図２参照）が引っ掛かったとしても取り込み口２１が変形し難くなり、毛髪を取り込み易くなる。
【００１５】
帯状シート４，５について更に説明する。接合前の一方の帯状シート４には、一方の側縁部４１に、その側縁端から幅方向内方に延びる切り込み４３が、長手方向に所定間隔で複数個（本実施形態では４個）形成されている。また、前記一方の帯状シート４の他方の側縁部４２に、その側縁端から幅方向内方に延びる切り込み４４が、長手方向に所定間隔で複数個（本実施形態では４個）形成されている。
【００１６】
また、接合前の他方の帯状シート５の一方の側縁部５１及び他方の側縁部５２それぞれに、その側縁端から幅方向内方に延びる切り込み５３、５４が、前記一方の帯状シート４の前記切り込み４３，４４に対応する位置に形成されている。そして、一方の帯状シート４の切り込み４３，４４と、該切り込み４３，４４に対応する他方の帯状シート５の切り込み５３，５４とは、接合後における前記筒状体２の長手方向（接合前における帯状シート４，５の長手方向）に対する角度が異なっている。
そのため、接合後において、図１に示すように、一方の縁端部４１，５１における両切り込み４３，５３の外端部が該筒状体２の側縁端においてずれており、他方の縁端部４２，５２における両切り込み４４，５４の外端部が該筒状体２の側縁端においてずれている。
【００１７】
一方の帯状シート４の切り込み４３・４４及び他方の帯状シート５の切り込み５３・５４が、前述のように形成されている第１の理由は、両帯状シート４，５の両側縁部４１・４２、５１・５２を接合して接合部７を形成することにより、該接合部７と該切り込みとから前記挿通掛合孔部６を形成するためである。第２の理由は、毛髪保持具の製造時において、仮接合した２枚の帯状シート４，５における切り込みに巻き上げ用糸３を一旦挿入掛合したときに該巻き上げ用糸３が外れ難くするためである。第３の理由は、前記特許文献１及び２記載の毛髪保持具のような、糸挿通部の強度不足を解消するためである。
【００１８】
一方の帯状シート４の一方の側縁部４１の切り込み４３と、他方の帯状シート５の一方の側縁部５１の切り込み５３とのなす角度φ〔図１（ｂ）参照〕は、好ましくは１８０°未満、更に好ましくは１０〜９０°である。他方の帯状シート４の他方の側縁部４２の切り込み４４と、他方の帯状シート５の他方の側縁部５２の切り込み５４とのなす角についても、前記角度φと同様の範囲が好ましい。
【００１９】
また、一方の帯状シート４の一方の側縁部４１の切り込み４３の該側縁部４１に対する角度θ〔図１（ｂ）参照〕、即ち、筒状体２の長手方向に対する切り込み４３の角度は、製造時において巻き上げ用糸３を切り込み４３，４４に挿入しやすくするために、好ましくは９０°以下、更に好ましくは２０〜６０°である。一方の帯状シート４の他方の側縁部４２の切り込み４４の該側縁部４２に対する角度についても、前記角度θと同様の範囲が好ましい。
【００２０】
また、他方の帯状シート５の一方の側縁部５１の切り込み５３の該側縁部５１に対する角度、即ち、筒状体２の長手方向に対する切り込み５３の角度は、好ましくは９０°以下、更に好ましくは２０〜６０°である。他方の帯状シート５の他方の側縁部５２の切り込み５４の該側縁部５２に対する角度についても同様の範囲が好ましい。
【００２１】
帯状シート４，５を構成する材料としては、各種可撓性材料が用いられる。その例としては、不織布、多孔性又は非多孔性の樹脂フィルム、紙、金属板又はこれらの複合体などが挙げられ、具体的用途に応じて適切な材料が選択される。例えば、筒状体２内に挿入された状態の毛髪に対して筒状体２の外部から毛髪処理剤を施したいときには、該毛髪処理剤に対して透過性を有する材料を用いればよい。また、挿入されている毛髪のみに毛髪処理剤を施したいときには、該毛髪処理剤に対して非透過性を有する材料を用いればよい。本実施形態においては、不織布からなる帯状シートを用いている。
また、帯状シート同士の接合には、ヒートシール、超音波シール、接着剤、粘着テープ、縫製などが用いられ、本実施形態においては、ヒートシールにより接合されている。
【００２２】
巻き上げ用糸３は、図１に示すように、その一端３１が筒状体２の他端部２２近傍に止着されている。本実施形態においては、最も他端部２２寄りに位置する挿通掛合孔部６の位置において引き抜かれないよう止着されている。巻き上げ用糸３の固定には、ホットメルト、ヒートシール、接着剤などが用いられ、本実施形態においては、ホットメルトにより固定されている。
【００２３】
また、巻き上げ用糸３は、その他端３２が筒状体２の最も取り込み口２１寄りに位置する挿通掛合孔部６の位置において、自由状態になっている。これによって、巻き上げ用糸３の他端３２を引っ張ると、筒状体２は、スパイラル状に変形することになる（詳細については更に後述する）。巻き上げ用糸３の他端３２近傍には、使用時の便宜上、糸留め９１及びタグ９２が取り付けられており、該他端３２近傍は、糸留め９１により筒状体２の取り込み口２１に仮止着されており、更に、タグ９２により筒状体２の取り込み口２１の外表面に仮止着されている。
使用時においては、タグ９２及び糸留め９１と筒状体２との仮止着を引き外して、巻き上げ用糸３を他端３２側から引っ張ることができる。
【００２４】
巻き上げ用糸３は、これを引っ張って毛髪の巻き上げ操作を行うときに、引きちぎれない程度の強度及び巻き上げ操作を円滑に行い得る柔軟性を有していることが好ましく、この点から、各種樹脂などの合成物、木綿や麻などの天然物、レーヨンなどの半天然物、各種金属、又はこれらの複合体などから構成されていることが好ましい。また、巻き上げ用糸３は、糸状のものに限られず、例えば細長い帯状のものであってもよい。
【００２５】
次に、前述の図１に示す実施形態の毛髪保持具の使用方法について、図２を参照しながら説明する。
本実施形態の毛髪保持具１は、図２に示すように、先端に毛髪のフック部１１を有する毛髪挿入具１０と組み合わせて用いると、毛髪保持具内への毛髪Ｈの挿入が容易となる。この毛髪挿入具１０は、図２に示すように、細長形状の把持部１２と、該把持部１２の先端に取り付けられたフック部１１とを備えている。フック部１１は、毛髪保持具１内に挿入される毛髪を引っ掛けるために用いられ、変形可能になされている。
【００２６】
毛髪挿入具１０は、図２に示すように、毛髪挿入具１０のフック部１１を筒状体２の取り込み口２１側に向けて挿入された状態で使用される。使用に先立ち、毛髪挿入具１０のフック部１１を、筒状体２の取り込み口２１から突出させる。そして、フック部１１に所望量の毛髪を引っ掛け、この状態下に毛髪挿入具１０の他端部から引き出されている毛髪挿入具１０の把持部１２を引っ張る。これによって、フック部１１に引っ掛けられている毛髪Ｈがフック部１１と共に筒状体２内に挿入される。
【００２７】
フック部１１が筒状体２内に引き入れられると、該筒状体２内の所定位置において、フック部１１による毛髪Ｈの引っ掛けが解除され、毛髪Ｈは筒状体２内に円滑に挿入される。フック部１１は、筒状体２の他端部２２から筒状体２の外に引き出される。
【００２８】
本実施形態の毛髪保持具１の一使用方法について、パーマネント処理を例にとり図２を参照しながら説明する。先ず図２（ａ）に示すように、筒状体２内に毛髪挿入具１０を挿入し、該毛髪挿入具１０のフック部１１を、筒状体２の取り込み口２１から突出させる。そして、筒状体２の他端部２２から、毛髪挿入具１０の把持部１２の端部を引き出す。
この状態下に、毛髪挿入具１０のフック部１１に所望量の毛髪Ｈを通して引っ掛ける。
【００２９】
次に図２（ｂ）に示すように、筒状体２の取り込み口２１付近の位置を一方の手（図示せず）で軽く押さえる。また筒状体２の他端部２２から引き出されている毛髪挿入具１０の把持部１２の端部を他方の手（図示せず）で把持し、毛髪挿入具１０を筒状体２の外に引き出す。その操作によって、フック部１１に引っ掛けられていた毛髪Ｈが首尾良く筒状体２の筒状体２内に挿入、収納される。
【００３０】
次に、図２（ｃ）に示すように、筒状体２の取り込み口２１付近の位置を一方の手（図示せず）で軽く押さえる。この状態下に、筒状体２の外側面に巻き付けられている巻き上げ用糸３の一端３２（自由端）を引っ張る。巻き上げ用糸３の一端３２は、タグ９２を介して筒状体２に仮止着されているが、該タグ９２を筒状体２から引き剥がせばよい。すると図２（ｄ）に示すように、毛髪Ｈは筒状体２と共にスパイラル状に巻き上げられて、小さく纏められる。
【００３１】
次に、この状態を保持するために、筒状体２から引き出されている巻き上げ用糸３の根元を糸留め９１で係止する。
この状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪に施される。
【００３２】
所定時間放置後、筒状体２に向けて第２のパーマネント処理剤（酸化剤）を付与し、再び所定時間放置する。これによって、筒状体２内に挿入されている毛髪Ｈに対して、その巻き上げ形態のパーマネントウエーブが掛けられる。その後、巻き上げ用糸３に取り付けられた糸留め９１を外し、毛髪Ｈの巻き上げ状態を解除する。引き続き毛髪Ｈを筒状体２から取り出し、すすぎ洗いをし、更にシャンプー及びブローをする。
【００３３】
所望により以上の操作を繰り返し、所定時間放置する。その後、巻き上げ用糸３に取り付けた糸留め９１を外し、毛髪の巻き上げ状態を解除する。引き続き毛髪Ｈを筒状体２から取り出し、すすぎ洗いをし、更にシャンプー及びブローをする。
【００３４】
このように、本実施形態の毛髪保持具によれば、毛髪の巻き上げを極めて簡単に且つ短時間で行うことができ、被挿入物である毛髪に所定の形状を容易に付与することができる。
また、本実施形態の毛髪保持具によれば、挿通係合孔部が一対の切り込みと帯状シートの該切り込み近傍を接合してなる接合部とにより形成されているため、前記特許文献１及び２記載の毛髪保持具のような、糸挿通部の強度不足を解消することができる。
そして、本実施形態の毛髪保持具によれば、かかる構成の毛髪保持具を、特に巻き上げ用糸の巻き付けの点で、容易に形成することができる。
【００３５】
図１に示す実施形態においては、筒状体２は、２枚の帯状シート４，５がそれらの両側縁部同士で接合されて断面が扁平状に形成され、前記筒状体２の両側縁部を構成する帯状シートの一方の面及び他方の面は、一方の帯状シート４及び他方の帯状シート５から形成されているが、本発明の形状付与具（毛髪保持具）においては、筒状体は、斯る構成に制限されない。以下に、他の実施形態について説明する。
尚、以下の説明において特に説明しない点については、図１に示す実施形態における説明が適宜適用され、各構成部材の符合については同じ符合を付してある。
【００３６】
図３に示す実施形態の毛髪保持具においては、筒状体２は、１枚の帯状シート４Ａがその長手方向中心線〔図３（ａ）に示すＯ−Ｏ’線〕で折り返され、その両側縁部が接合されて形成されている。
詳述すると、本実施形態の毛髪保持具においては、筒状体２は、１枚の帯状シート４Ａから形成されている。該帯状シート４Ａは、一方の帯状シート４及び他方の帯状シート５を長手方向側縁部で接合した形態を有しており、筒状体２の幅の略２倍の幅を有する矩形状である。尚、中心線Ｏ−Ｏ’は、帯状シート４Ａの長手方向中心線、即ち、一方の帯状シート４と他方の帯状シート５との境界線をとなる。
【００３７】
帯状シート４における前記中心線Ｏ−Ｏ’側の長手方向側縁部には、一方の切り込み４３が長手方向に所定間隔を置いて形成されており、帯状シート４における他方の長手方向側縁部には、他方の切り込み４４が長手方向に所定間隔を置いて形成されている。一方の切り込み４３と他方の切り込み４４とは、ジグザグな位置に配置している。
【００３８】
また、他方の帯状シート５にも、一方の帯状シート４と同様に、長手方向両側縁部にそれぞれ切り込み５３、５４が長手方向に所定間隔を置いて且つジグザグな位置に形成されている。
更に、一方の帯状シート４の切り込み４３における中心線Ｏ−Ｏ’側の端縁と、他方の帯状シート５の切り込み５３における中心線Ｏ−Ｏ’側の端縁とは、中心線Ｏ−Ｏ’上の接続切り込み４３’により接続され、該切り込み４３と該連続切り込みと該切り込み５３とが連続的な切り込みを形成している。
【００３９】
一方の帯状シート４の切り込み４３，４４と他方の帯状シート５の切り込み５３，５４とは、１枚の帯状シート４Ａを中心線Ｏ−Ｏ’で折り返すと、切り込み４３と切り込み５３とが略一致し、切り込み４４と切り込み５４とが略一致するようになっている。また、切り込み４３と切り込み５３とは帯状シート４Ａの長手方向となす角度が異なり、切り込み４４と切り込み５４とは該長手方向となす角度が異なっている。
【００４０】
本実施形態の毛髪保持具においては、前述の構成を有する１枚の帯状シート４Ａから筒状体２が形成されており、そのため、帯状シート４Ａを中心線Ｏ−Ｏ’で折り返すと、図１に示す実施形態における筒状体２（接合部７が形成されておらず、巻き上げ用糸３が巻き付けられていない状態のもの）と同様の構成の筒状体（図示せず）が得られる。
【００４１】
そして、斯る状態の筒状体２に巻き上げ用糸３を巻き付け、その状態で、図３（ｂ）に示すように、一方の帯状シート４の両側縁部４１及び４２と、他方の帯状シート５の両側縁部５１及び５２とをそれぞれ接合し、帯状シート４，５の両側縁部に接合部７を形成すると、図１に示す実施形態の同様の構成を有する毛髪保持具が得られる。
【００４２】
図１に示す実施形態及び図３に示す実施形態においては、筒状体は断面が扁平状に形成されているが、本発明の形状付与具（毛髪保持具）においては、筒状体は断面が多角形状に形成されていてもよい。
図４に示す実施形態の毛髪保持具１においては、筒状体２は断面が三角形状である。詳述すると、本実施形態の毛髪保持具１における筒状体２は、図４（ａ）及び（ｂ）に示すように、３枚の帯状シート４Ａ、４Ｂ及び４Ｃがそれらの側縁部同士で接合されて形成されており、筒状体２の各角部に挿通係合孔部６が形成されている。
【００４３】
第１の帯状シート４Ａにおける一方及び他方の側縁部４１Ａ、４１Ａには、図１に示す実施形態及び図３に示す実施形態と同様に、複数個の切り込み４３Ａが所定間隔を置いて且つジグザグな位置に形成されている。同様に、第２の帯状シート４Ｂにおける一方及び他方の側縁部４１Ｂ、４１Ｂには、複数個の切り込み４３Ｂが所定間隔を置いて且つジグザグな位置に形成されている。更に、第３の帯状シート４Ｃにおける一方及び他方の側縁部４１Ｃ、４１Ｃには、複数個の切り込み４３Ｃが所定間隔を置いて且つジグザグな位置に形成されている。
そして、３枚の帯状シート４Ａ、４Ｂ及び４Ｃの両側縁部に形成された各切り込み４３Ａ、４３Ｂ及び４３Ｃは、該両側縁部を所定位置で接合すると、対応する各切り込みが略一致するようになっている。略一致した一対の切り込みは、図１に示す実施形態及び図３に示す実施形態と同様に、筒状体２の長手方向となす角度が異なっている。
【００４４】
本実施形態の毛髪保持具においては、筒状体２は、前述の構成を有する３枚の帯状シート４Ａ、４Ｂ及び４Ｃがそれらの両側縁部同士で接合されて、断面が三角形状に形成されている。
そして、斯る状態の筒状体２に巻き上げ用糸３を巻き付け、その状態で、３枚の帯状シート４Ａ、４Ｂ及び４Ｃがそれらの側縁部同士を接合し、各角部に接合部７を形成すると、三角形状断面の筒状体２からなる毛髪保持具１が得られる。
【００４５】
図４に示す実施形態においては、３枚の帯状シートで三角形状断面の筒状体２を形成しているが、三角形状断面の筒状体は、図５に示すように、該三角形の一辺と略同一幅の帯状シート４Ｂと該三角形の一辺の略２倍幅の帯状シート４Ａ・４Ｃとの組合せで形成することができる。
本実施形態における幅広の帯状シート４Ａ・４Ｃの折り返し部分（図５における右下に位置する角部）の構成は、図３に示す実施形態における帯状シートの折り返し部分の構成と略同じである。
【００４６】
図６に示す実施形態の毛髪保持具においては、筒状体の断面が六角形状である。本実施形態の毛髪保持具は、筒状体の断面形状が異なる以外は、図４に示す実施形態の毛髪保持具と同様の構成を有している。
筒状体２を構成する６枚の帯状シート４Ａ、４Ｂ、４Ｃ、４Ｄ、４Ｅ及び４Ｆの両側縁部には、図４に示す実施形態と同様に、それぞれ、切り込み４３Ａ、４３Ｂ、４３Ｃ、４３Ｄ、４３Ｅ及び４３Ｆが所定間隔を置いて且つジグザグな位置に形成されている。
【００４７】
そして、６枚の帯状シート４Ａ、４Ｂ、４Ｃ、４Ｄ、４Ｅ及び４Ｆの両側縁部に形成された各切り込み４３Ａ、４３Ｂ、４３Ｃ、４３Ｄ、４３Ｅ及び４３Ｆは、該両側縁部を所定位置で接合すると、対応する各切り込みが略一致するようになっている。略一致した一対の切り込みは、図４に示す実施形態と同様に、筒状体２の長手方向となす角度が異なっている。
【００４８】
本実施形態の毛髪保持具においては、筒状体２は、前述の構成を有する６枚の帯状シート４３Ａ、４３Ｂ、４３Ｃ、４３Ｄ、４３Ｅ及び４３Ｆがそれらの両側縁部同士で接合されて、断面が六角形状に形成されている。
そして、斯る状態の筒状体２に巻き上げ用糸３を巻き付け、その状態で、６枚の帯状シート４３Ａ、４３Ｂ、４３Ｃ、４３Ｄ、４３Ｅ及び４３Ｆがそれらの側縁部同士を接合し、各角部に接合部７を形成すると、筒状体２の断面が六角形である以外は、図４に示す実施形態と同様の構成を有する毛髪保持具１が得られる。
【００４９】
以上、本発明の形状付与具の好ましい一実施形態として、毛髪保持具について説明したが、本発明の形状付与具は、前述した毛髪保持具に制限されることなく、本発明の趣旨を逸脱しない限り、適宜変更が可能である。
前記実施形態の毛髪保持具においては、一方の帯状シートの切り込みの内端部と他方の帯状シートの内端部とが一致しているが、本発明の形状付与具においては、両切り込みが交差していてもよく、両内端部が若干離れていてもよい。また、帯状シートの切り込みは若干の幅を有していてもよい。
【００５０】
本発明の形状付与具においては、筒状体は、図３に示す実施形態のように、１枚の帯状シートから形成されていてもよく、図１、図４〜図６に示す実施形態のように、２枚以上の帯状シートから形成されていてもよい。
また、筒状体は、図１及び図３に示す実施形態のように、断面が扁平状のものでもよく、図４〜図６に示す実施形態のように、断面が多角形（三角形以上）状のものでもよい。
【００５１】
また、扁平状断面の筒状体における両側縁部又は多角形状断面の筒状体における各角部は、帯状シートが折り返されて形成されていてもよく、帯状シートの接合部が接合されて形成されていてもよい。即ち、一対の切り込みの形成される帯状シートの一方の面及び他方の面は、２枚の帯状シートで構成されていてもよく、１枚の帯状シートが折り返されて形成されていてもよい。従って、例えば、１枚の帯状シートで三角形状断面の筒状体が形成されていてもよく、４枚の帯状シートで六角形状断面の筒状体が形成されていてもよい。
本発明の形状付与具は、前述の毛髪保持具に制限されず、例えば、本形状付与具で形状を付与した布片を染色剤に浸す染色法（絞り染め）や食品加工時における形状付与（例えば、ソーセージ等の形状付与）等に用いることができる。
【００５２】
本発明の形状付与具を毛髪保持具として用いた場合において、筒状体が染毛剤に対して非透過性の材料から構成されているときには、毛髪をこの筒状体内に挿入した後、取り込み口から染毛剤を供給し、毛髪の全体に行き渡らせるようにして使用することができる。
【００５３】
【発明の効果】
本発明の形状付与具によれば、筒状体の挿入された被挿入物に所定の形状を簡便な操作で付与することができ、従来、問題であった糸挿通部の強度低下を解消することができる。また本発明の形状付与具によれば、筒状体の外周面に巻き上げ用糸がスパイラル状に巻き付けられた形状付与具を、特に巻き上げ用糸の巻き付けの点で、容易に形成することができる。
【図面の簡単な説明】
【図１】図１は、本発明の形状付与具の一実施形態である毛髪保持具を示す図で、（ａ）はその全体の正面斜視図、（ｂ）は切り込み近傍の拡大正面図である。
【図２】図２は、本発明の一実施形態である毛髪保持具の一使用態様を示す模式的斜視図である。
【図３】図３は、毛髪保持具の他の実施形態を示す図で、（ａ）は展開状態の帯状シートを模式的に示す斜視図、（ｂ）は筒状体の端面を模式的に示す端面図である。
【図４】図４は、毛髪保持具の更に他の実施形態を示す図で、（ａ）は模式的斜視図、（ｂ）は筒状体の端面を模式的に示す端面図である。
【図５】図５は、毛髪保持具の更に他の実施形態における筒状体の端面を模式的に示す端面図〔図４（ｂ）対応図〕である。
【図６】図６は、毛髪保持具の更に他の実施形態を示す図で、（ａ）は模式的斜視図、（ｂ）は筒状体の端面を模式的に示す端面図である。
【符号の説明】
１  毛髪保持具
２  筒状体
２１  取り込み口（一端部）
２２  他端部
３  巻き上げ用糸
３１  一端
３２  他端
４，５  帯状シート
４１，４２，５１，５２  側縁部
４３，４４，５３，５４  切り込み
６  挿通掛合孔部
７  接合部
１０  毛髪挿入具
１１  フック部
１２  把持部
Ｈ  毛髪
【図１】
2005046174.tif 000003
【図２】
2005046174.tif 000004
【図３】
2005046174.tif 000005
【図４】
2005046174.tif 000006
【図５】
2005046174.tif 000007
【図６】
2005046174.tif 000008